(57)【要約】      （修正有）【課題】２回の加圧で１回の動作サイクルを完了する単一プッシュピース型クロノグラフを提供する。【解決手段】クロノグラフは、第１の角度セクタが第１及び第２の安定角度位置を定める２つのノッチを、第２の角度セクタが切り欠き部分を備える、枢動可能に取り付けられたシャトルと、ノッチと協働してシャトルを安定位置の一方に保持する弾性部材と、切り欠き部分と協働してシャトルを、第１の加圧で第１の安定位置から第２の安定位置まで枢動させ、第２の加圧で第２の安定位置から第３の中間角度位置まで枢動させるプッシュピースとを含む。第３の中間位置は、非安定で上述のノッチ間に位置する傾斜面によってシャトルの第１の角度セクタ上に定められ、傾斜面はプッシュピースが解放されたときに弾性部材の作用で位置から第１の安定位置に枢動するように構成され、制御装置は更に、プッシュピースが押圧されたときにシャトルを第３の非安定位置にロックする。【選択図】図１
2011133478.tif 000002
【特許請求の範囲】
【請求項１】
クロノグラフ輪列（１）と、前記輪列（１）を結合する結合手段（２）と、前記結合手段（２）を制御する装置（４）とを含み、前記制御する装置（４）が、
軸（ＸＸ）の周りに枢動可能に取り付けられたシャトル（１０）にして、その第１の角度セクタ（２０）には第１及び第２の安定角度位置（Ａ、Ｂ）を定める２つのノッチ（２０ａ、２０ｂ）が備えられ、その第２の角度セクタ（３０）には切り欠き部分（３１、３２、３３、３４、３５、３６）が備えられている、シャトル（１０）と、
前記ノッチ（２０ａ、２０ｂ）と協働して、前記シャトル（１０）を前記安定位置（Ａ、Ｂ）の一方に保持する弾性部材（１１）と、
前記切り欠き部分（３１、３２、３３、３４、３５、３６）と協働して、前記シャトル（１０）を、第１の加圧の結果として前記第１の安定位置（Ａ）から前記第２の安定位置（Ｂ）まで枢動させ、第２の加圧の結果として前記第２の安定位置（Ｂ）から第３の中間角度位置（Ｃ）まで枢動させるようにするプッシュピース（１２）と、
を含んでいる、クロノグラフであって、
前記第３の中間角度位置（Ｃ）が、非安定なものであり、前記ノッチ（２０ａ、２０ｂ）間に位置する傾斜面（２０ｃ）によって前記シャトル（１０）の第１の角度セクタ（２０）上に定められ、前記傾斜面（２０ｃ）が、前記プッシュピース（１２）が解放されたときに前記弾性部材（１１）の作用により前記シャトル（１０）が、前記第３の位置（Ｃ）から前記第１の安定位置（Ａ）へと枢動するように構成されており、
前記結合手段（２）を制御するための装置（４）は、前記プッシュピース（１２）が押圧されたときに前記シャトル（１０）を前記第３の非安定位置（Ｃ）にロックする手段（３２ａ、３５、３６、４１、４５、４４）を更に含む、
ことを特徴とするクロノグラフ。
【請求項２】
前記プッシュピース（１２）は、枢動可能に取り付けられたアーム（４０）の形状をなし、前記アーム（４０）には軸ＹＹの周りに該アーム（４０）上で自由に回転するように取り付けられたフィンガ（４１）が設けられ、該フィンガが第１及び第２のビーク（４２、４３）で終端し、前記切り欠き部分（３１、３２、３３、３４、３５、３６）と協働して、前記シャトル（１０）を枢動させ又は前記シャトル（１０）を前記３つの角度位置（Ａ、Ｂ、Ｃ）にロックをする、
ことを特徴とする請求項１に記載のクロノグラフ。
【請求項３】
前記したロックを行う手段が、前記フィンガ（４１）に近接して取り付けられた停止部材（４５）と、第２のほぼ半径方向のフランク（３２ａ）を有し、前記第２の角度セクタ（３０）内に形成された凹部（３２）とを含み、
前記停止部材（４５）及び前記凹部（３２）は、前記シャトル（１０）が前記第３の非安定位置（Ｃ）にあるときに前記半径方向フランク（３２ａ）が前記第１のビーク（４２）に当接し、その結果、前記フィンガ（４１）が前記停止部材（４５）に当接するように構成される、
ことを特徴とする請求項２に記載のクロノグラフ。
【請求項４】
前記したロックを行う前記手段がＬ形状切り欠き部分（３５）を含み、該Ｌ形状切り欠き部分は、前記弾性部材（１１）が前記シャトル（１０）に作用して、該シャトルを前記第３の角度位置（Ｃ）から前記第１の角度位置（Ａ）に枢動させたときに、前記第１のビーク（４２）が前記Ｌ形切り欠き部分（３５）と協働して、該弾性部材（１１）の作用を相殺し、前記シャトル（１０）を前記第３の角度位置（Ｃ）にロックするように構成される、
ことを特徴とする請求項２に記載のクロノグラフ。
【請求項５】
前記シャトル（１０）の前記枢動軸（ＸＸ）と、前記第１のビーク（４２）と前記Ｌ形切り欠き部分（３５）のコーナー部との接点（Ｐ）と、前記フィンガ（４１）の回転軸（ＹＹ）との間に形成される角度αが、１８０度よりも小さい、
ことを特徴とする請求項４に記載のクロノグラフ。
【請求項６】
前記アーム（４０）が更に、前記第３の角度位置（Ｃ）において前記シャトル（１０）を介して前記弾性部材（１１）によって作用されるモーメントよりも大きなモーメントを前記フィンガ（４１）に作用するようなサイズにされた、前記フィンガ（４１）に作用する弾性部材（４４）を含む、
ことを特徴とする請求項２に記載のクロノグラフ。
【請求項７】
前記アーム（４０）は、前記第３の角度位置（Ｃ）において前記シャトル（１０）を介して前記弾性部材（１１）によって作用されるモーメントよりも大きなモーメントを前記フィンガ（４１）に作用するように予め成形された、前記フィンガ（４１）に作用する弾性部材（４４）を更に含む、
ことを特徴とする請求項２に記載のクロノグラフ。
【請求項８】
前記ロック手段が前記第２の角度セクタ（３０）内に形成されたノッチ（３６）を含み、前記シャトル（１０）が前記第３の非安定位置（Ｃ）にあり且つ前記プッシュピース（１２）が押圧されたときに前記第１のビーク（４２）が挿入され、前記ノッチ（３６）が、前記弾性部材（１１）の作用によって制御される前記シャトル（１０）の枢動をロックするように構成される、
ことを特徴とする請求項２に記載のクロノグラフ。
【発明の詳細な説明】
【技術分野】
【０００１】
本発明は、時計製造の分野に関する。本発明は、より具体的には、同じプッシュピースを用いて「開始」機能、「停止」機能及び「リセット」機能を実行するシャトルを含む単一プッシュピース型クロノグラフに関する。
【背景技術】
【０００２】
このタイプのクロノグラフは、当業者には既に公知である。こうしたクロノグラフの１つが、国際公開第ＷＯ２００８／０７５１４７号に開示されている。このクロノグラフは、クロノグラフ輪列と、結合手段と、リセット手段と、結合手段及びリセット手段用の制御装置とを含む。制御装置は、枢動可能に取り付けられたシャトルを含み、この第１の角度セクタには、それぞれ「リセット」機能、「開始」機能及び「停止」機能に対応する３つの安定角度位置を定める３つのノッチが設けられており、制御装置はまた、ノッチと協働してこれらの角度位置の１つにシャトルを保持する弾性部材を含む。制御装置は更に、シャトルの第２の角度セクタ内に形成された一連の切り欠き部分すなわちブランク部分と協働する、２つのビーク部を有するヒンジ式フィンガを備えたプッシュピースを更に含み、これによりシャトルは、連続的加圧によってリセット位置から開始位置、開始位置から停止位置、次いで停止位置からリセット位置等に変化するようになる。切り欠き部分及び２つのビークの複合形状は、シャトルの最初の角度位置に応じて、第１のビークが一方向又は反対方向への枢動を引き起こし、第２のビークが移動の終わりに枢動運動をロックするように設計される。ユーザがプッシュピースを繰り返し押圧すると、これらの２つのビークは、押圧機能とロック機能とを交互に実行する。このように説明される単一プッシュピース型クロノグラフの３段階の動作サイクル全体は３回の加圧で完了する。
【先行技術文献】
【特許文献】
【０００３】
【特許文献１】国際公開第ＷＯ２００８／０７５１４７号
【発明の概要】
【０００４】
本発明は、２回の加圧で１回の動作サイクルを完了する単一プッシュピース型クロノグラフを提案することによって、上記で開示されたクロノグラフの実施形態の動作モードに対する代替形態を提供する。より具体的には、本発明は、クロノグラフ輪列と、該輪列を結合する手段と、結合手段を制御する装置とを含むクロノグラフに関し、当該装置は、第１の角度セクタが第１及び第２の安定角度位置を定める２つのノッチを備え、第２の角度セクタが切り欠き部分を備える、枢動可能に取り付けられたシャトルを含む。結合手段用の制御装置は更に、ノッチと協働してシャトルを２つの安定位置の一方に保持する弾性部材と、切り欠き部分と協働して、シャトルを、第１の加圧の結果として第１の安定位置から第２の安定位置まで枢動させ、第２の加圧の結果として第２の安定位置から第３の中間角度位置まで枢動させるプッシュピースとを含む。本発明によれば、第３の中間角度位置は非安定であり、ノッチ間に位置する傾斜面によってシャトルの第１の角度セクタ上に定められ、傾斜面は、プッシュピースが解放されたときに弾性部材の作用によりシャトルが第３の位置から第１の安定位置に枢動するように構成され、結合手段の制御装置は更に、プッシュピースが押圧されたときにシャトルを第３の非安定位置にロックする手段を含む。
【０００５】
２つの安定シャトル位置を定めるノッチ間に位置付けられた傾斜面の結果として、２回目にプッシュピースが押圧されたときに第３の位置に到達し、第２の加圧後にプッシュピースが解放されたときに第１の位置に到達する。このように、クロノグラフの動作サイクルは、従来の３段階のサイクルではあるが、サイクルを完了するのに２回の加圧だけを必要とする。
【０００６】
本発明の他の特徴及び利点は、本発明による単一プッシュピース型クロノグラフの例示的な実施形態の以下の詳細な説明からより明らかになるであろう。この実施例は、単に、添付図面を参照した非限定的な例証として与えられるものである。
【図面の簡単な説明】
【０００７】
【図１】プッシュピースが解放された、第１の位置における本発明による単一プッシュピース型クロノグラフを示す図である。
【図２】本発明による単一プッシュピース型クロノグラフの動作サイクルを示す図である。
【図３】本発明による単一プッシュピース型クロノグラフの動作サイクルを示す図である。
【図４】本発明による単一プッシュピース型クロノグラフの動作サイクルを示す図である。
【図５】本発明による単一プッシュピース型クロノグラフの動作サイクルを示す図である。
【図６】本発明による単一プッシュピース型クロノグラフの動作サイクルを示す図である。
【図７】プッシュピースが押圧された、第３の非安定位置におけるこのタイプのクロノグラフをロックする手段の実施形態の図である。
【図８】プッシュピースが押圧された状態の、第３の非安定位置におけるこのタイプのクロノグラフをロックするための手段の実施形態の図である。
【図９】プッシュピースが押圧された状態の、第３の非安定位置におけるこのタイプのクロノグラフをロックするための手段の実施形態の図である。
【発明を実施するための形態】
【０００８】
リセット位置における、図１に示される単一プッシュピース型クロノグラフは、従来通りに、クロノグラフ秒針及びクロノグラフ分針（図示せず）を支持するクロノグラフ輪列１と、クロノグラフ輪列１を結合し、時回り輪列と運動連鎖接続で該クロノグラフ輪列１を配置する手段２とを含む。単一プッシュピース型クロノグラフは更に、秒針及び分針をゼロにリセットする手段３と、結合手段２及びリセット手段３用の制御装置４とを含む。
【０００９】
結合手段２は、カナ５がクロノグラフ輪列１及び時回り輪列と噛み合う「開始」位置と、カナ５がクロノグラフ輪列から解放される「停止」位置との間で移動可能である結合レバー６上に取り付けられた結合カナ５から周知の方法で形成される。リセット手段３は、秒針及び分針と回転方向で一体化されるハートピース８及び９に対して作用するハンマー７を従来の方法で含む。これらの要素及びその動作は、当業者には公知であり、本明細書ではこれ以上詳細には説明しない。
【００１０】
制御装置４は、軸ＸＸの周りに枢動可能に取り付けられたシャトル１０と、該シャトル１０と協働してシャトルを角度方向に位置決めするジャンパーばね１１と、シャトル１０を枢動させるためのプッシュピース１２とを含む。制御装置４は更に、結合カム１３及びリセットカム１４を更に含み、シャトル１０が枢動するときにシャトル１０と一体化されて、シャトル１０の角度位置に応じて、結合レバー６及びハンマー７とそれぞれ協働してクロノグラフの「開始」、「停止」、及び「リセット」機能を公知の方法で作動させる。
【００１１】
シャトル１０は、２つのノッチ２０ａ及び２０ｂを含む第１の角度セクタ２０を含み、それぞれが、「リセット」機能に対応する第１の安定角度位置Ａと、「開始」機能に対応する第２の安定角度位置Ｂとを定める。ジャンパーばね１１は、ノッチ２０ａ及び２０ｂと協働して、シャトル１０を安定角度位置Ａ及びＢの一方又は他方に保持する。本発明によれば、第１の角度セクタ２０は更に、ノッチ２０ａ及び２０ｂ間に配置され、クロノグラフの「停止」機能に対応する第３の非安定の角度位置Ｃを定める傾斜面２０ｃを含む。「傾斜面」とは、考慮されている点の半径に対し垂直ではない面を意味する。面２０ｃの傾斜は、ジャンパーばね１１が、面２０ｃに当接したときにシャトル１０を角度位置Ａに向かって枢動させるように決定される。
【００１２】
シャトル１０は、複雑な形状の切り欠き部分を含む第２の角度セクタ３０を有する。図１から図６に示される第１の実施形態においては、角度セクタ３０は、反時計回りに、第１のＬ形ブランク部分３１と、次いで、ほぼ半径方向のフランク３２ａを有する小さな凹部３２とを含む。次に、角度セクタは、ノッチ３３と、最後に第２のＬ形切り欠き部分３４とを含む。図７に示される第２の実施形態において、小さな凹部３２は、Ｌ形外形を有する第３の切り欠き部分３５を形成するように特徴付けられている。図７を参照しながら、この第３の切り欠き部分の外形及びその機能を詳細に考査する。図９に示される第４の実施形態においては、小さな凹部３２はノッチ３６と置き換えられ、その機能は、図９を参照して説明される。
【００１３】
プッシュピース１２は、軸ＹＹの周りのその端部において自由に回動するように取り付けられたフィンガ４１を備える枢動可能に取り付けられたアーム４０から形成される。フィンガ４１は、第１のビーク４２及び第２のビーク４３でそれぞれ終端し、Ｌ形切り欠き部分３１、３４、３５、ノッチ３３、３６、及び凹部３２と協働して、シャトル１０を枢動させ、或いは該シャトル１０を３つの角度位置Ａ、Ｂ及びＣにロックする。アーム４０上に取り付けられた弾性部材４４は、フィンガ４１の裏面上に当接し、該フィンガをシャトル１０の軸ＸＸに対してほぼ半径方向に位置付ける。最後に、停止部材４５が、以下で説明するように、フィンガ４１に近接して取り付けられ、その回動振幅を制限するようにする。
【００１４】
本明細書で開示される単一プッシュピース型クロノグラフの動作サイクルが、図２から図６に示される。図面を読取り易くするために、結合カム１３、リセットカム１４、結合手段２及びリセット手段３は意図的に省略している。これにより本発明の理解が向上する。
【００１５】
本発明による単一プッシュピース型クロノグラフが、図２に「リセット」位置で示されている。この位置において、クロノグラフ輪列１は停止され、クロノグラフの針は、表示部「０」を指している。シャトル１０は、角度セクタ２０のノッチ２０ａと協働するジャンパーばね１１によって、第１の安定角度位置Ａに位置付けられる。プッシュピース１２が解放され、第１のビーク４２は、第１のＬ形切り欠き部分３１内に位置付けられる。
【００１６】
図３において、ユーザによる第１の加圧作用によりプッシュピース１２が押圧される。プッシュピース１２は、第１のＬ形切り欠き部分３１のコーナー部に押し込まれる第１のビーク４２によって、シャトル１０を時計回りに枢動させる。プッシュピース１２及びフィンガ４１の枢動と組み合わせてシャトル１０を枢動させることにより、第２のビーク４３がノッチ３３に係合可能になる。第２のビーク４３がノッチ３３に完全に挿入されると、シャトル１０の枢動がロックされ、その結果、シャトル１０は、クロノグラフの「開始」機能に対応する角度位置Ｂになる。この位置において、結合カム１３は、結合レバー６に作用してクロノグラフを開始させる。
【００１７】
次に、プッシュピース１２がユーザにより解放され、シャトル１０は、角度セクタ２０のノッチ２０ｂと協働するジャンパーばね１１によって角度位置Ｂに保持される。図４に示されるこの位置において、クロノグラフ輪列１が回転し、クロノグラフ針を回転方向に駆動する。第１のビーク４２は、もはや第１のＬ形切り欠き部分３１内に位置付けられないが、第２のビーク４３は第２のＬ形切り欠き部分３４に近接して位置付けられる点に留意されたい。
【００１８】
図５において、ユーザによる第２の加圧作用によりプッシュピース１２が再度押圧される。ここでは、プッシュピース１２は、第２のＬ形切り欠き部分３４のコーナー部内に押し込まれる第２のビーク４３によって、シャトル１０を反時計回りに枢動させる。シャトル１０は、フィンガ４１が停止部材４５と接触するまで枢動し、次いで第１のビーク４２が凹部３２に係合する。次に、凹部３２の半径方向フランク３２ａが、フィンガ４１の第１のビーク４２上に当接し、該フィンガ４１自体が停止部材４５に当接する。その結果、シャトルの枢動運動は、クロノグラフの「停止」機能に対応する角度位置Ｃで停止される。この位置において、ジャンパーばね１１は、角度セクタ２０の面２０ｃに当接し、この作用は、シャトル１０を角度位置Ｃを超えて安定角度位置Ａまで枢動させる傾向がある。しかしながら、ユーザがプッシュピース１２を押圧し続ける限りは、ジャンパーばね１１の作用は、フィンガ４１によって、角度位置Ｃを超えるシャトル１０の枢動に対抗する停止部材４５の作用によって相殺される。この位置において、結合カム１３は、結合レバー６に作用してクロノグラフを停止させる。クロノグラフ針と同様に、クロノグラフ輪列１が停止される。
【００１９】
次に、図６に示されるように、プッシュピース１２が２回目に解放される。この位置において、角度セクタ２０の面２０ｃに当接しているジャンパーばね１１は、シャトル１０を反時計回りに枢動させる傾向があり、フィンガ４１が解放されると、停止部材４５は、この運動には対抗しない。従って、角度位置Ｃは非安定であり、ジャンパーばね１１の作用は、シャトル１０をジャンパーばね１１がノッチ２０ａと協働する安定角度位置Ａまで枢動させる。この位置において、リセットカム１４がハンマー７を作動させ、ハートピース８及び９に作用する。クロノグラフ針は再び表示部「０」を指す。クロノグラフの１回の動作サイクルが完了する。上記で説明されたクロノグラフの動作サイクルは、２回の加圧で実行される、３つの段階、すなわち「停止」、「開始」及び「リセット」の従来の動作サイクルである点に留意されたい。
【００２０】
ここで、「停止」位置における本発明による単一のプッシュピース型クロノグラフの第２の実施形態を示す図７を参照する。この実施形態において、第３の切り欠き部分３５が凹部３２に取って代わり、停止部材４５は存在しない。ユーザが２回目にプッシュピース１２を押圧すると、第２のビーク４３が、第２のＬ形切り欠き部分３４のコーナー部内に押し込まれ、これによりシャトル１０が反時計回りに枢動される。この枢動運動は、第１のビーク４２が第３のＬ形切り欠き部分３５に係合して該切り欠き部分のコーナー部内に留まると停止される。この位置において、第１のビーク４２は、ジャンパーばね１１により反時計回り方向に加えられたモーメントに対抗するモーメントを時計回り方向でシャトル１０に加える。次いで、ユーザがプッシュピース１２を押圧された状態に保持する限り、シャトル１０は、非安定の角度位置Ｃにロックされてそこに留まる。互いに相殺するためには、第１のビーク４２及びジャンパーばね１１のそれぞれのモーメントについて幾何学的条件を満たす必要がある点に留意されたい。Ｐが第１のビーク４２と第３の切り欠き部分３５のコーナー部との間の接点である場合、軸ＸＸと点Ｐと軸ＹＹとの間に形成される角度αが、１８０度よりも小さくなければならない。この条件を満たす場合、第１のビーク４２及びジャンパーばね１１のそれぞれのモーメントは対向方向に作用する。しかしながら、角度αが１８０度よりも大きい場合、両モーメントが反時計回りに作用し、シャトル１０は位置Ｃにロックされない。それ以外は、本発明による単一プッシュピース型クロノグラフのこの第２の実施形態の動作は、図２から図６を参照して説明されたものと同一である。
【００２１】
「停止」位置における本発明による単一プッシュピース型クロノグラフの第３の実施形態が、図８に示されている。この実施形態では、停止部材４５は存在せず、弾性部材４４は、角度位置Ｃにおいてシャトル１０を介してジャンパーばね１１によって作用されるモーメントよりも大きなモーメントをフィンガ４１に作用するようなサイズにされる。上述のように、ユーザがプッシュピース１２を押圧すると、第２のビーク４３は、第１のビーク４２が凹部３２に係合するまでシャトル１０を枢動させる。次いで、シャトル１０は、非安定の角度位置Ｃになり、ジャンパーばね１１は、位置Ｃを超えて角度位置Ａまでシャトルを枢動させる傾向がある。上述の条件が満たされた場合、弾性部材４４はフィンガ４１の回転運動に対抗し、該フィンガ自体がシャトル１０の回転運動に対抗する。ユーザがプッシュピース１２を押圧し続ける限りは、シャトル１０は角度位置Ｃにロックされる。それ以外は、本発明による単一プッシュピース型クロノグラフのこの第３の実施形態の動作は、図２−図６を参照して説明されたものと同一である。角度位置Ｃにおいてジャンパーばね１１によって作用されるモーメントよりも大きいモーメントをフィンガ４１に作用するために、サイズ変更ではなく予め成形してもよい点に留意されたい。
【００２２】
ここで、「停止」位置における本発明による単一プッシュピース型クロノグラフの第４の実施形態を示す図９を参照する。この実施形態においては、ノッチ３６が凹部３２に取って代わり、停止部材３５は存在しない。ユーザが２回目にプッシュピース１２を押圧すると、第２のビーク４３が第２のＬ形切り欠き部分３４のコーナー部に押し込まれ、これによりシャトル１０が反時計回りに枢動される。プッシュピース１２及びフィンガ４１の枢動と組み合わせてシャトル１０を枢動させることにより、第１のビーク４２がノッチ３６に係合可能になる。第１のビーク４２がノッチ３６に完全に挿入されると、シャトル１０の枢動がロックされ、その結果、シャトル１０は、クロノグラフの「停止」機能に対応する非安定角度位置Ｃになる。上述のように、ユーザがプッシュピース１２を押圧状態に保持する限り、シャトル１０は非安定位置Ｃに留まる。それ以外は、本発明による単一プッシュピース型クロノグラフのこの第４の実施形態の動作は、図２から図６を参照して説明されるものと同一である。
【００２３】
以上、２回の加圧で１サイクルを完了する単一プッシュピース型クロノグラフを説明した。当然のことながら、本発明による単一プッシュピース型クロノグラフは、記載した実施形態だけに限定されるものではなく、当業者であれば、添付の請求項により定義される本発明の範囲から逸脱することなく、種々の簡単な変更及び変形形態を考案することが可能である。
【符号の説明】
【００２４】
１  クロノグラフ輪列；  ２  結合手段；  ３  リセット手段；  ４  制御装置；  
５  カナ；  ６；  結合レバー；  ７  ハンマー；  １０  シャトル；  
１１  ジャンパーばね；  １２  プッシュピース；  １３  結合カム；  
１４  リセットカム；  ２０  第１の角度セクタ；  
２０ａ、２０ｂ、３３、３６  ノッチ；  ２０ｃ  傾斜面；  
３０  第２の角度セクタ；  ３１、３４、３５  Ｌ形切り欠き部分；  
３２  凹部；  ３２ａ  半径方向フランク；  ４０  アーム；  ４１  フィンガ；  
４２  第１のビーク；  ４３  第２のビーク；  ４４  弾性部材；  ４５  停止部材。
【図１】
2011133478.tif 000003
【図２】
2011133478.tif 000004
【図３】
2011133478.tif 000005
【図４】
2011133478.tif 000006
【図５】
2011133478.tif 000007
【図６】
2011133478.tif 000008
【図７】
2011133478.tif 000009
【図８】
2011133478.tif 000010
【図９】
2011133478.tif 000011